(57)【要約】【課題】複合映像信号から同期信号を正確に分離することができる同期信号分離装置を提供すること。【解決手段】同期信号のピーク電圧と電圧閾値とを比較するピーク電圧比較手段１０５と、ピーク電圧に基づいて複合映像信号から同期信号を分離する第１の同期信号分離手段１０７と、分離された同期信号を増幅する分離同期信号増幅手段１０８と、増幅された同期信号を複合映像信号に加算する同期信号加算手段１０９と、同期信号加算手段１０９により同期信号が加算された複合映像信号から同期信号を分離する第２の同期信号分離手段１１０とを備える構成とすることにより、同期信号を分離させるようにした。【選択図】　　　　　図１
2004088426.tif 000002
【特許請求の範囲】
【請求項１】
同期信号を含む複合映像信号を入力する複合映像信号入力手段と、基準電位を設定する基準電位設定手段と、前記基準電位に基づいて前記同期信号のピーク電圧を検出するピーク電圧検出手段と、前記ピーク電圧に基づいて前記複合映像信号から前記同期信号を分離する第１の同期信号分離手段と、前記第１の同期信号分離手段により分離された前記同期信号を増幅する分離同期信号増幅手段と、前記分離同期信号増幅手段により増幅された前記同期信号を前記複合映像信号入力手段に入力された前記複合映像信号に加算する同期信号加算手段と、前記同期信号加算手段により前記同期信号が加算された前記複合映像信号から前記同期信号を分離する第２の同期信号分離手段とを備えたことを特徴とする同期信号分離装置。
【請求項２】
前記同期信号を増幅する同期信号増幅手段を備え、前記第１の同期信号分離手段が、前記同期信号増幅手段により増幅された前記同期信号のピーク電圧に基づいて前記複合映像信号から前記同期信号を分離するようにしたことを特徴とする請求項１に記載の同期信号分離装置。
【請求項３】
前記同期信号増幅手段がフィードバッククランプ回路を備え、前記フィードバッククランプ回路が、前記複合映像信号入力手段に入力された前記同期信号を増幅するようにしたことを特徴とする請求項２に記載の同期信号分離装置。
【請求項４】
前記同期信号増幅手段が非反転方式のフィードバッククランプ回路を備え、前記非反転方式のフィードバッククランプ回路が、前記複合映像信号入力手段に入力された前記同期信号を増幅するようにしたことを特徴とする請求項２に記載の同期信号分離装置。
【請求項５】
来訪者が使用する子機と、住戸人が使用する親機と、同期信号分離装置とを備え、前記子機が、外部を撮影するカメラユニットを備え、前記親機が、前記カメラユニットで撮影された映像を表示する映像表示手段を備え、前記同期信号分離装置が、前記カメラユニットから出力される複合映像信号を入力する複合映像信号入力手段と、基準電位を設定する基準電位設定手段と、前記基準電位に基づいて前記同期信号のピーク電圧を検出するピーク電圧検出手段と、前記ピーク電圧に基づいて前記複合映像信号から前記同期信号を分離する第１の同期信号分離手段と、前記第１の同期信号分離手段により分離された前記同期信号を増幅する分離同期信号増幅手段と、前記分離同期信号増幅手段により増幅された前記同期信号を前記複合映像信号入力手段に入力された前記複合映像信号に加算する同期信号加算手段と、前記同期信号加算手段により前記同期信号が加算された前記複合映像信号から前記同期信号を分離する第２の同期信号分離手段とを備えたことを特徴とするインターホンシステム。
【請求項６】
前記同期信号を増幅する同期信号増幅手段を備え、前記第１の同期信号分離手段が、前記同期信号増幅手段により増幅された前記同期信号のピーク電圧に基づいて前記複合映像信号から前記同期信号を分離するようにしたことを特徴とする請求項５に記載のインターホンシステム。
【請求項７】
前記同期信号増幅手段がフィードバッククランプ回路を備え、前記フィードバッククランプ回路が、前記複合映像信号入力手段に入力された前記同期信号を増幅するようにしたことを特徴とする請求項６に記載のインターホンシステム。
【請求項８】
前記同期信号増幅手段が非反転方式のフィードバッククランプ回路を備え、前記非反転方式のフィードバッククランプ回路が、前記複合映像信号入力手段に入力された前記同期信号を増幅するようにしたことを特徴とする請求項６に記載のインターホンシステム。
【請求項９】
同期信号を含む複合映像信号を入力する複合映像信号入力工程と、基準電位を設定する基準電位設定工程と、前記基準電位に基づいて前記同期信号のピーク電圧を検出するピーク電圧検出工程と、前記ピーク電圧に基づいて前記複合映像信号から前記同期信号を分離する第１の同期信号分離工程と、前記第１の同期信号分離工程において分離された前記同期信号を増幅する分離同期信号増幅工程と、前記分離同期信号増幅工程において増幅された前記同期信号を前記複合映像信号入力工程において入力された前記複合映像信号に加算する同期信号加算工程と、前記同期信号加算工程において前記同期信号が加算された前記同期信号を分離する第２の同期信号分離工程とを含むことを特徴とする同期信号分離方法。
【請求項１０】
前記複合映像信号入力工程において入力された前記同期信号を増幅する同期信号増幅工程を含むことを特徴とする請求項９に記載の同期信号分離方法。
【発明の詳細な説明】
【０００１】
【発明の属する技術分野】
本発明は、同期信号分離装置、インターホンシステム、および同期信号分離方法に関し、さらに詳しくは、複合映像信号から同期信号を正確に分離することができる同期信号分離装置、インターホンシステム、および同期信号分離方法に関する。
【０００２】
【従来の技術】
従来の同期信号分離装置としては、図７に示すようなものが知られている。図７に示された同期信号分離装置１０は、複合映像信号を入力する複合映像信号入力手段１と、同期信号の振幅電圧を検出する同期信号振幅電圧検出手段２と、電圧閾値を記憶する電圧閾値記憶手段３と、同期信号振幅電圧比較手段４と、複合映像信号から同期信号を分離する同期信号分離手段５とを備えている。
【０００３】
従来の同期信号分離装置１０において、まず、複合映像信号入力手段１により、複合映像信号が入力される。この複合映像信号は、図８（ａ）に示すように、同期信号８０２と、同期信号の前部にフロントポーチ８０１と、同期信号の後部にバックポーチ８０３と、バースト信号８０４と、映像信号８０５とを含んでいる。次いで、同期信号振幅電圧検出手段２により、同期信号の振幅電圧が検出される。この同期信号の振幅電圧とは、図８（ｂ）に示す黒色信号のレベルを表すフロントポーチ８０１およびバックポーチ８０３の電圧レベルから同期信号のピーク値までの電圧Ｂをいう。なお、図８（ｂ）におけるフロントポーチ８０１およびバックポーチ８０３の電圧レベル８０６は、ペデスタルレベルという。
【０００４】
次いで、同期信号振幅電圧比較手段４により、電圧閾値記憶手段３から電圧閾値が読み出され、同期信号振幅電圧と電圧閾値とが比較される。この電圧閾値とは、図８（ｂ）に示す電圧Ａをいう。次いで、同期信号分離手段５により、同期信号の波形の立下りと電圧閾値との交点に基づいて複合映像信号から同期信号が分離される。
【０００５】
以上のように、従来の同期信号分離装置１０では、同期信号振幅電圧と電圧閾値とを比較することにより、複合映像信号から同期信号を分離することができるようになっている。
【０００６】
【発明が解決しようとする課題】
しかしながら、このような従来の同期信号分離装置１０では、例えば、温度変動により同期信号の波形が変化したときには、複合映像信号から同期信号を分離できないという問題があった。例えば、高温の環境下においては、図９に示すように、フロントポーチ９０２の前後に第１のピーク９０１および第２のピーク９０３が生じるので、電圧閾値Ａよりも大きい第１のピークの電圧Ｃおよび第２のピークの電圧Ｄが存在することになり、複合映像信号から同期信号９０４が正確に分離できないという問題があった。一方、低温の環境下においては、図１０に示すように、同期信号１００１の振幅電圧Ｅが、電圧閾値Ａよりも小さくなるので、複合映像信号から同期信号が分離できないという問題があった。
【０００７】
本発明は、このような問題を解決するためになされたものであり、温度変動等により複合映像信号に含まれる同期信号の波形が変化した場合でも、複合映像信号から同期信号を正確に分離することができる同期信号分離装置を提供するものである。
【０００８】
【課題を解決するための手段】
本発明の同期信号分離装置は、同期信号を含む複合映像信号を入力する複合映像信号入力手段と、基準電位を設定する基準電位設定手段と、前記基準電位に基づいて前記同期信号のピーク電圧を検出するピーク電圧検出手段と、前記ピーク電圧に基づいて前記複合映像信号から前記同期信号を分離する第１の同期信号分離手段と、前記第１の同期信号分離手段により分離された前記同期信号を増幅する分離同期信号増幅手段と、前記分離同期信号増幅手段により増幅された前記同期信号を前記複合映像信号入力手段に入力された前記複合映像信号に加算する同期信号加算手段と、前記同期信号加算手段により前記同期信号が加算された前記複合映像信号から前記同期信号を分離する第２の同期信号分離手段とを備えたことを特徴とする構成を有している。
【０００９】
この構成により、同期信号加算手段が、分離同期信号増幅手段により増幅された同期信号を複合映像信号入力手段に入力された複合映像信号に加算するので、温度変動等により複合映像信号に含まれる同期信号の波形が変化した場合でも、複合映像信号から同期信号を正確に分離することができる。
【００１０】
また、本発明の同期信号分離装置は、前記同期信号を増幅する同期信号増幅手段を備え、前記第１の同期信号分離手段が、前記同期信号増幅手段により増幅された前記同期信号のピーク電圧に基づいて前記複合映像信号から前記同期信号を分離するようにしたことを特徴とする構成を有している。
【００１１】
この構成により、第１の同期信号分離手段が、同期信号増幅手段により増幅された同期信号のピーク電圧に基づいて複合映像信号から同期信号を分離するので、温度変動等により複合映像信号に含まれる同期信号の振幅が減少した場合でも、複合映像信号から同期信号を正確に分離することができる。
【００１２】
また、本発明の同期信号分離装置は、前記同期信号増幅手段がフィードバッククランプ回路を備え、前記フィードバッククランプ回路が、前記複合映像信号入力手段に入力された前記同期信号を増幅するようにしたことを特徴とする構成を有している。
【００１３】
この構成により、フィードバッククランプ回路が、複合映像信号入力手段に入力された同期信号を増幅するので、温度変動等により複合映像信号に含まれる同期信号の振幅が減少した場合でも、複合映像信号から同期信号を正確に分離することができる。
【００１４】
また、本発明の同期信号分離装置は、前記同期信号増幅手段が非反転方式のフィードバッククランプ回路を備え、前記非反転方式のフィードバッククランプ回路が、前記複合映像信号入力手段に入力された前記同期信号を増幅するようにしたことを特徴とする構成を有している。
【００１５】
この構成により、非反転方式のフィードバッククランプ回路が、複合映像信号入力手段に入力された同期信号を増幅するので、増幅された同期信号は、回路に入力された複合映像信号と同相となる。
【００１６】
本発明のインターホンシステムは、来訪者が使用する子機と、住戸人が使用する親機と、同期信号分離装置とを備え、前記子機が、外部を撮影するカメラユニットを備え、前記親機が、前記カメラユニットで撮影された映像を表示する映像表示手段を備え、前記同期信号分離装置が、前記カメラユニットから出力される複合映像信号を入力する複合映像信号入力手段と、基準電位を設定する基準電位設定手段と、前記基準電位に基づいて前記同期信号のピーク電圧を検出するピーク電圧検出手段と、前記ピーク電圧に基づいて前記複合映像信号から前記同期信号を分離する第１の同期信号分離手段と、前記第１の同期信号分離手段により分離された前記同期信号を増幅する分離同期信号増幅手段と、前記分離同期信号増幅手段により増幅された前記同期信号を前記複合映像信号入力手段に入力された前記複合映像信号に加算する同期信号加算手段と、前記同期信号加算手段により前記同期信号が加算された前記複合映像信号から前記同期信号を分離する第２の同期信号分離手段とを備えたことを特徴とする構成を有している。
【００１７】
この構成により、同期信号加算手段が、分離同期信号増幅手段により増幅された同期信号を複合映像信号入力手段に入力された複合映像信号に加算する構成としたので、温度変動等により複合映像信号に含まれる同期信号の波形が変化した場合でも、映像表示手段が、カメラユニットにより撮影された来訪者の映像を明瞭に表示することができる。
【００１８】
また、本発明のインターホンシステムは、前記同期信号を増幅する同期信号増幅手段を備え、前記第１の同期信号分離手段が、前記同期信号増幅手段により増幅された前記同期信号のピーク電圧に基づいて前記複合映像信号から前記同期信号を分離するようにしたことを特徴とする構成を有している。
【００１９】
この構成により、第１の同期信号分離手段が、同期信号増幅手段により増幅された同期信号のピーク電圧に基づいて複合映像信号から同期信号を分離するので、温度変動等により複合映像信号に含まれる同期信号の振幅が減少した場合でも、複合映像信号から同期信号を正確に分離することができ、カメラユニットにより撮影された来訪者の映像を明瞭に表示することができる。
【００２０】
また、本発明のインターホンシステムは、前記同期信号増幅手段がフィードバッククランプ回路を備え、前記フィードバッククランプ回路が、前記複合映像信号入力手段に入力された前記同期信号を増幅するようにしたことを特徴とする構成を有している。
【００２１】
この構成により、フィードバッククランプ回路が、複合映像信号入力手段に入力された同期信号を増幅するので、温度変動等により複合映像信号に含まれる同期信号の振幅が減少した場合でも、複合映像信号から同期信号を正確に分離することができ、カメラユニットにより撮影された来訪者の映像を明瞭に表示することができる。
【００２２】
また、本発明のインターホンシステムは、前記同期信号増幅手段が非反転方式のフィードバッククランプ回路を備え、前記非反転方式のフィードバッククランプ回路が、前記複合映像信号入力手段に入力された前記同期信号を増幅するようにしたことを特徴とする構成を有している。
【００２３】
この構成により、非反転方式のフィードバッククランプ回路が、複合映像信号入力手段に入力された同期信号を増幅するので、増幅された同期信号は、回路に入力された複合映像信号と同相となる。
【００２４】
本発明の同期信号分離方法は、同期信号を含む複合映像信号を入力する複合映像信号入力工程と、基準電位を設定する基準電位設定工程と、前記基準電位に基づいて前記同期信号のピーク電圧を検出するピーク電圧検出工程と、前記ピーク電圧に基づいて前記複合映像信号から前記同期信号を分離する第１の同期信号分離工程と、前記第１の同期信号分離工程において分離された前記同期信号を増幅する分離同期信号増幅工程と、前記分離同期信号増幅工程において増幅された前記同期信号を前記複合映像信号入力工程において入力された前記複合映像信号に加算する同期信号加算工程と、前記同期信号加算工程において前記同期信号が加算された前記同期信号を分離する第２の同期信号分離工程とを含むことを特徴とする方法を有している。
【００２５】
この方法により、同期信号加算工程において、分離同期信号増幅工程で増幅された同期信号を複合映像信号入力工程により入力された複合映像信号に加算するので、温度変動等により複合映像信号に含まれる同期信号の波形が変化した場合でも、複合映像信号から同期信号を正確に分離することとなる。
【００２６】
また、本発明の同期信号分離方法は、前記複合映像信号入力工程において入力された前記同期信号を増幅する同期信号増幅工程を含むことを特徴とする方法を有している。
【００２７】
この方法により、第１の同期信号分離工程において、同期信号増幅工程で増幅された同期信号のピーク電圧に基づいて複合映像信号から同期信号を分離するので、温度変動等により複合映像信号に含まれる同期信号の振幅が減少した場合でも、複合映像信号から同期信号を正確に分離することとなる。
【００２８】
【発明の実施の形態】
以下、本発明の実施の形態について、図面を参照して説明する。
【００２９】
（第１の実施の形態）
まず、本発明の第１の実施の形態の同期信号分離装置の構成について説明する。図１に示すように、本実施の形態の同期信号分離装置１００は、同期信号を含む複合映像信号を入力する複合映像信号入力手段１０１と、基準電位を設定する基準電位設定手段１０２と、基準電位に基づいて同期信号のピーク電圧を検出するピーク電圧検出手段１０３と、電圧閾値を記憶する電圧閾値記憶手段１０４と、同期信号のピーク電圧と電圧閾値とを比較するピーク電圧比較手段１０５と、同期信号を増幅する同期信号増幅手段１０６と、ピーク電圧に基づいて複合映像信号から同期信号を分離する第１の同期信号分離手段１０７と、第１の同期信号分離手段１０７により分離された同期信号を増幅する分離同期信号増幅手段１０８と、分離同期信号増幅手段１０８により増幅された同期信号を複合映像信号入力手段１０１に入力された複合映像信号に加算する同期信号加算手段１０９と、同期信号加算手段１０９により同期信号が加算された複合映像信号から同期信号を分離する第２の同期信号分離手段１１０とを備えている。
【００３０】
次に、本実施の形態の同期信号分離装置１００の動作について、図１および図２を参照して説明する。図２は、本実施の形態の同期信号分離装置１００の各ステップのフローチャートである。図２に示すように、まず、複合映像信号入力手段１０１により、複合映像信号が入力される（ステップＳ２０１）。次いで、基準電位設定手段１０２により、基準電位が設定される（ステップＳ２０２）。この基準電位は、例えば、０ボルトの電位に設定される。引き続き、ピーク電圧検出手段１０３により、基準電位に基づいて同期信号のピーク電圧が検出される（ステップＳ２０３）。次いで、ピーク電圧比較手段１０５により、電圧閾値記憶手段１０４に記憶された電圧閾値が読み出され、同期信号のピーク電圧と電圧閾値とが比較される（ステップＳ２０４）。
【００３１】
ステップＳ２０４において、同期信号のピーク電圧が電圧閾値よりも小さい場合は、第１の同期信号分離手段１０７により、複合映像信号から同期信号が分離される（ステップＳ２０６）。一方、ステップＳ２０４において、同期信号のピーク電圧が電圧閾値よりも大きい場合は、同期信号増幅手段１０６により、複合映像信号の同期信号が増幅され（ステップＳ２０５）、前述のステップＳ２０６において、第１の同期信号分離手段１０７により、複合映像信号から同期信号が分離される。
【００３２】
さらに、分離同期信号増幅手段１０８により、分離された同期信号が増幅される（ステップＳ２０７）。次いで、同期信号加算手段１０９により、増幅された同期信号が複合映像信号入力手段１０１に入力された複合映像信号に加算される（ステップＳ２０８）。そして、第２の同期信号分離手段１１０により、同期信号が加算された複合映像信号から同期信号が分離される（ステップＳ２０９）。
【００３３】
ここで、前述のステップＳ２０２以降の処理について、図３を参照しながら具体的に説明する。図３（ａ）は、高温の環境下における複合映像信号の波形の一例を示しており、横軸は時間、縦軸は電圧を表している。複合映像信号の波形は、フロントポーチ３０１と、同期信号３０２と、バックポーチ３０３と、バースト信号３０４と、映像信号３０５とを含んでいる。フロントポーチ３０１の前後には、第１のピーク３０６および第２のピーク３０７が生じている。さらに、図３（ａ）は、前述のステップＳ２０２において、基準電位設定手段１０２により設定された基準電位３０８と、第２のピーク３０７を含む同期信号のピーク電圧Ｆと、電圧閾値記憶手段１０４に記憶された電圧閾値Ｇとを示している。
【００３４】
前述のステップＳ２０４においては、同期信号のピーク電圧Ｆと電圧閾値Ｇとが比較される。図３（ａ）に示すように、同期信号のピーク電圧Ｆが電圧閾値Ｇよりも小さい場合には、第２のピーク３０７の立下りの時間軸上の位置から同期信号３０２が生じていると判断され、図３（ｂ）に示すように、第１の同期信号分離手段１０７により、該位置から予め設定されたパルス幅およびパルス振幅で、複合映像信号から同期信号３１１が分離される。
【００３５】
一方、ステップＳ２０４において、同期信号のピーク電圧Ｆが電圧閾値Ｇよりも大きいと判断された場合、例えば、低温の環境下における複合映像信号の場合は、前述の同期信号増幅手段１０６により、入力された複合映像信号の同期信号が増幅された後、第１の同期信号分離手段１０７により、複合映像信号から同期信号３１１が分離される。
【００３６】
なお、前述のステップＳ２０４において、同期信号のピーク電圧Ｆと電圧閾値Ｇとの比較における大小は、基準電位の設定値により異なる。すなわち、図３（ａ）に示すように、ピーク３０７の電位が基準電位３０８よりも大きい場合は、ステップＳ２０４において同期信号のピーク電圧Ｆが電圧閾値Ｇよりも小さいか否かが比較され、一方、ピーク３０７の電位が基準電位３０８よりも小さい場合（図示せず）は、ステップＳ２０４において同期信号のピーク電圧Ｆが電圧閾値Ｇよりも大きいか否かが比較されることとなる。
【００３７】
引き続き、図３（ｃ）に示すように、前述の分離された同期信号３１１が分離同期信号増幅手段１０８により増幅され、同期信号３２１が得られる。この分離同期信号増幅手段１０８の増幅率は、任意に設定することができる。さらに、図３（ｄ）に示すように、前述の増幅された同期信号３２１は、同期信号加算手段１０９により、複合映像信号入力手段１０１に入力された複合映像信号に加算され、同期信号３３１が得られる。図３（ｄ）に示された複合映像信号入力手段１０１に入力された複合映像信号と増幅された同期信号３２１との加算の基準点は、時間軸方向においては、増幅された同期信号３２１と同じ位置、電圧軸方向においては、図３（ａ）に示された第２のピークの立下り、すなわち同期信号３０２の立下りと電圧閾値Ｇとの交点としている。この電圧軸方向における加算の基準点は任意に決定することができる。
【００３８】
前述の同期信号３３１は、第２の同期信号分離手段１１０により、例えば、ペデスタルレベル３３２を基準とした電圧閾値Ｈに基づいて、複合映像信号から同期信号を分離することができる。すなわち、複合映像信号入力手段１０１に入力された複合映像信号に含まれる同期信号の振幅の大きさに関わらず、一つの電圧閾値で複合映像信号から同期信号を分離することができる。
【００３９】
なお、前述の同期信号増幅手段１０６は、例えば、フィードバッククランプ回路により構成される。このフィードバッククランプ回路の一例として、図４に非反転方式のフィードバッククランプ回路を示す。この非反転方式のフィードバッククランプ回路とは、回路に入力される信号の位相および回路から出力される信号の位相が同相であるフィードバッククランプ回路をいう。
【００４０】
図４に示された非反転方式のフィードバッククランプ回路４００は、入出力端子４０１と、第１のトランジスタ４０２と、インダクタ４０３と、コンデンサ４０４と、半波整流回路４０５と、平滑回路４０７と、第２のトランジスタ４０８と、帰還抵抗４０９とを含んでいる。前述のインダクタ４０３およびコンデンサ４０４は、入出力端子４０１に入力された複合映像信号から同期信号を取り出すように定数が決定されている。また、前述の半波整流回路４０５は、図示のように、オペアンプ４０６と、抵抗、およびダイオードで構成され、入力された映像信号の半波整流を行うようになっている。また、前述の平滑回路４０７は、抵抗とコンデンサで構成され、半波整流回路４０５の出力を平滑化するようになっている。平滑された信号は、第２のトランジスタ４０８のエミッタ電極から帰還抵抗４０９を介して第１のトランジスタ４０２のベース電極にフィードバックされるようになっている。以上の構成により、入出力端子４０１に入力された複合映像信号の同期信号と同じ位相を有する増幅された同期信号が取り出され、入出力端子４０１から出力されることとなる。
【００４１】
以上のように、本実施の形態の同期信号分離装置１００によれば、同期信号加算手段１０９が、分離同期信号増幅手段１０８により増幅された同期信号を複合映像信号入力手段１０１に入力された複合映像信号に加算する構成としたので、温度変動等により複合映像信号に含まれる同期信号の波形が変化した場合でも、複合映像信号から同期信号を正確に分離することができる。
【００４２】
（第２の実施の形態）
まず、本発明の第２の実施の形態のインターホンシステムの構成について説明する。図５に示すように、本実施の形態のインターホンシステム５００は、子機５１０と、親機５２０と、同期信号分離装置５３０とを備えている。子機５１０は、来訪者が住戸人を呼び出す呼出スイッチ５１１と、来訪者の音声を集音する子機マイクロホン５１２と、住戸人の音声を出力する子機スピーカ５１３と、外部を撮影するカメラユニット５１４と、カメラユニット５１４から出力される複合映像信号を増幅する複合映像信号増幅手段５１５とを備えている。また、親機５２０は、住戸人が来訪者と通話を開始する通話スイッチ５２１と、住戸人の音声を集音する親機マイクロホン５２２と、来訪者の音声を出力する親機スピーカ５２３と、カメラユニット５１４により撮影された映像を表示する映像表示手段５２４と、システム全体の動作を制御する制御手段５２５とを備えている。また、同期信号分離装置５３０は、同期信号を含む複合映像信号を入力する複合映像信号入力手段５３１と、基準電位を設定する基準電位設定手段５３２と、基準電位に基づいて同期信号のピーク電圧を検出するピーク電圧検出手段５３３と、電圧閾値を記憶する電圧閾値記憶手段５３４と、同期信号のピーク電圧と電圧閾値とを比較するピーク電圧比較手段５３５と、同期信号を増幅する同期信号増幅手段５３６と、ピーク電圧に基づいて複合映像信号から同期信号を分離する第１の同期信号分離手段５３７と、第１の同期信号分離手段５３７により分離された同期信号を増幅する分離同期信号増幅手段５３８と、分離同期信号増幅手段５３８により増幅された同期信号を複合映像信号入力手段５３１に入力された複合映像信号に加算する同期信号加算手段５３９と、同期信号加算手段５３９により同期信号が加算された複合映像信号から同期信号を分離する第２の同期信号分離手段５４０とを備えている。なお、前述の同期信号分離装置５３０の一部または全部を子機５１０または親機５２０に備える構成としてもよい。
【００４３】
次に、本実施の形態のインターホンシステム５００の動作について、図５および図６を参照して説明する。図６は、本実施の形態のインターホンシステム５００の各ステップのフローチャートである。図６に示すように、まず、カメラユニット５１４により、来訪者が撮影される（ステップＳ６０１）。次いで、複合映像信号増幅手段５１５により、カメラユニットから出力される複合映像信号が増幅される（ステップＳ６０２）。次いで、複合映像信号入力手段５３１により、複合映像信号が入力される（ステップＳ６０３）。引き続き、基準電位設定手段５３２により、基準電位が設定される（ステップＳ６０４）。この基準電位は、例えば、０ボルトの電位に設定される。次いで、ピーク電圧検出手段５３３により、基準電位に基づいて同期信号のピーク電圧が検出される（ステップＳ６０５）。そして、ピーク電圧比較手段５３５により、電圧閾値記憶手段５３４に記憶された電圧閾値が読み出され、同期信号のピーク電圧と電圧閾値とが比較される（ステップＳ６０６）。
【００４４】
ステップＳ６０６において、同期信号のピーク電圧が電圧閾値よりも小さい場合は、第１の同期信号分離手段５３７により、複合映像信号から同期信号が分離される（ステップＳ６０８）。一方、ステップＳ６０６において、同期信号のピーク電圧が電圧閾値よりも大きい場合は、同期信号増幅手段５３６により、複合映像信号の同期信号が増幅され（ステップＳ６０７）、前述のステップＳ６０８において、第１の同期信号分離手段５３７により、複合映像信号から同期信号が分離される。
【００４５】
さらに、分離同期信号増幅手段５３８により、分離された同期信号が増幅される（ステップＳ６０９）。次いで、同期信号加算手段５３９により、増幅された同期信号が複合映像信号入力手段５３１に入力された複合映像信号に加算される（ステップＳ６１０）。次いで、第２の同期信号分離手段５４０により、同期信号が加算された複合映像信号から同期信号が分離される（ステップＳ６１１）。そして、映像表示手段５２４により、来訪者の映像が表示される（ステップＳ６１２）。
【００４６】
前述のステップＳ６０４からステップＳ６１１までの処理の詳細な説明については、本発明の第１の実施の形態において図３を参照して説明したので省略する。なお、前述の同期信号増幅手段５３６は、例えば、フィードバッククランプ回路により構成される。このフィードバッククランプ回路の一例は、本発明の第１の実施の形態において図４を参照して説明したので省略する。
【００４７】
以上のように、本実施の形態のインターホンシステム５００によれば、同期信号加算手段５３９が、分離同期信号増幅手段５３８により増幅された同期信号を複合映像信号入力手段５３１に入力された複合映像信号に加算する構成としたので、温度変動等により複合映像信号に含まれる同期信号の波形が変化した場合でも、映像表示手段５２４が、カメラユニット５１４により撮影された来訪者の映像を明瞭に表示することができる。
【００４８】
【発明の効果】
以上説明したように、本発明によれば、温度変動等により複合映像信号に含まれる同期信号の波形が変化した場合でも、複合映像信号から同期信号を正確に分離することができる。
【図面の簡単な説明】
【図１】本発明の第１の実施の形態の同期信号分離装置のブロック図
【図２】本発明の第１の実施の形態の同期信号分離装置の各ステップのフローチャート
【図３】（ａ）複合映像信号の波形図
（ｂ）複合映像信号から分離された同期信号の波形図
（ｃ）増幅された同期信号の波形図
（ｄ）増幅された同期信号を複合映像信号に加算した波形図
【図４】非反転方式のフィードバッククランプ回路の一例を示す回路図
【図５】本発明の第２の実施の形態のインターホンシステムのブロック図
【図６】本発明の第２の実施の形態のインターホンシステムの各ステップのフローチャート
【図７】従来の同期信号分離装置のブロック図
【図８】（ａ）複合映像信号の波形図
（ｂ）電圧閾値の設定例を示す図
【図９】高温環境下における複合映像信号の波形例を示す図
【図１０】低温環境下における複合映像信号の波形例を示す図
【符号の説明】
１００、５３０　同期信号分離装置
１０１、５３１　複合映像信号入力手段
１０２、５３２　基準電位設定手段
１０３、５３３　ピーク電圧検出手段
１０４、５３４　電圧閾値記憶手段
１０５、５３５　ピーク電圧比較手段
１０６、５３６　同期信号増幅手段
１０７、５３７　第１の同期信号分離手段
１０８、５３８　分離同期信号増幅手段
１０９、５３９　同期信号加算手段
１１０、５４０　第２の同期信号分離手段
３０１、８０１、９０２　フロントポーチ
３０２、３１１、３２１、３３１、８０２、１００１　同期信号
３０３、８０３　バックポーチ
３０４、８０４　バースト信号
３０５、８０５　映像信号
３０６、９０１　第１のピーク
３０７、９０３　第２のピーク
３０８　基準電位
３３２　ペデスタルレベル
４００　フィードバッククランプ回路
４０１　入出力端子
４０２　第１のトランジスタ
４０３　インダクタ
４０４　コンデンサ
４０５　半波整流回路
４０６　オペアンプ
４０７　平滑回路
４０８　第２のトランジスタ
４０９　帰還抵抗
５００　インターホンシステム
５１０　子機
５１１　呼出スイッチ
５１２　子機マイクロホン
５１３　子機スピーカ
５１４　カメラユニット
５１５　複合映像信号増幅手段
５２０　親機
５２１　通話スイッチ
５２２　親機マイクロホン
５２３　親機スピーカ
５２４　映像表示手段
５２５　制御手段
【図１】
2004088426.tif 000003
【図２】
2004088426.tif 000004
【図３】
2004088426.tif 000005
【図４】
2004088426.tif 000006
【図５】
2004088426.tif 000007
【図６】
2004088426.tif 000008
【図７】
2004088426.tif 000009
【図８】
2004088426.tif 000010
【図９】
2004088426.tif 000011
【図１０】
2004088426.tif 000012